(57)【要約】【課題】    角型ハンガー等に干した洗濯物をにわか雨や埃から防護したり、人目につかないようにしながら、洗濯物がよく乾き、取り扱いやすく、折りたためるハンガーに対してはカバーを装着したままいっしょに折りたたんで片づけられる洗濯物干しハンガーカバーを提供する。【解決手段】  通気性、撥水性、不透視性等を有する素材を使用した平面状のカバーで、中心の穴から角型ハンガー等の掛止め金具を通してハンガーの上面を覆うとともにハンガーの周縁部位置から適宜な長さ垂れ下がらせ、その垂れ下がった部分が風で翻らないように工夫し、裾が上がるように工夫した。大きな布を扱いやすくするため単数か複数のフレームを持たせたカバーは、フレームに橋渡ししたゴムひもを表に回し掛けるとカバーが小さくまとまるように工夫した。複数のフレームを持つカバーとフレームを持たないカバーは、折りたためるハンガーに装着したまま折りたたんで片づけることができる。【選択図】    図７
2013198725.tif 000002
【特許請求の範囲】
【請求項１】
平面状のカバーの中央辺りに骨格となるフレームを単数か複数持ち、中心に設けた穴からハンガーの掛止め金具を通してハンガーの上面を覆うとともに、ハンガーの周縁部位置から適宜な長さ垂れ下がらせ、折りたためるハンガーに対してはハンガーに装着したままいっしょに折りたためることを特徴とする洗濯物干しハンガーカバー。
【請求項２】
平面状のカバーの中央辺りに骨格となるフレームを単数か複数持ち、中心に設けた穴からハンガーの掛止め金具を通してハンガーの上面を覆うとともに、ハンガーの周縁部位置から適宜な長さ垂れ下がらせ、カバーの裾と中心辺りとを接着あるいは結合可能な構成にして裾をあげることができ、折りたためるハンガーに対してはハンガーに装着したままいっしょに折りたためることを特徴とする洗濯物干しハンガーカバー。
【請求項３】
平面状のカバーの中央辺りに骨格となるフレームを単数か複数持ち、中心に設けた穴からハンガーの掛止め金具を通してハンガーの上面を覆うとともに、ハンガーの周縁部位置から適宜な長さ垂れ下がらせ、フレームに橋渡しされたゴムひもを回し掛けることにより布を上部で小さくまとめることができ、折りたためるハンガーに対してはハンガーに装着したままいっしょに折りたためることを特徴とする洗濯物干しハンガーカバー。
【請求項４】
平面状のカバーの中央辺りに骨格となるフレームを単数か複数持ち、中心に設けた穴からハンガーの掛止め金具を通してハンガーの上面を覆うとともに、ハンガーの周縁部位置から適宜な長さ垂れ下がらせ、カバーの裾と中心の辺りとを接着あるいは結合可能な構成にして裾を上げることができ、フレームに橋渡しされたゴムひもを回し掛けることにより布を上部で小さくまとめることができ、風で翻らないように工夫され、折りたためるハンガーに対してはハンガーに装着したままいっしょに折りたためることを特徴とする洗濯物干しハンガーカバー。
【請求項５】
平面状のカバーの中心に設けた穴からハンガーの掛止め金具を通してハンガーの上面を覆うとともに、ハンガーの周縁部位置から適宜な長さ垂れ下がらせ、折りたためるハンガーに対してはハンガーに装着したままいっしょに折りたためることを特徴とする洗濯物干しハンガーカバー。
【請求項６】
平面状のカバーの中心に設けた穴からハンガーの掛止め金具を通してハンガーの上面を覆うとともに、ハンガーの周縁部位置から適宜な長さ垂れ下がらせ、風で翻らないように工夫され、折りたためるハンガーに対してはハンガーに装着したままいっしょに折りたためることを特徴とする洗濯物干しハンガーカバー。
【請求項７】
平面状のカバーの中心に設けた穴からハンガーの掛止め金具を通してハンガーの上面を覆うとともに、ハンガーの周縁部位置から適宜な長さ垂れ下がらせ、カバーの裾と中心の辺りとを接着あるいは結合可能な構成にして裾を上げることができ、風で翻らないように工夫され、折りたためるハンガーに対してはハンガーに装着したままいっしょに折りたためることを特徴とする洗濯物干しハンガーカバー。
【発明の詳細な説明】
【技術分野】
【０００１】
本発明は、不透視性、撥水性、通気性等のある布を、洗濯物干しハンガーの上から全体を覆うようにかけて、他人の目につかないようにしたりにわか雨や埃から防護したりするカバーに関する。
【背景技術】
【０００２】
従来の物干しハンガーカバーには、いろいろな物干しハンガーの形に合わせて、直方体や円筒形等立体的に縫製されたカバーがある。（例えば、特許文献１参照。）
また、平面状の布で覆う構成のカバーがある。（例えば、特許文献２参照。）
【先行技術文献】
【特許文献】
【０００３】
【特許文献１】特開２０００−３５０８９９号公報
【特許文献２】特開２００５−３１９３１７号広報
【発明の概要】
【発明が解決しようとする課題】
【０００４】
以上に述べた特許文献１のカバーでは、成形されているため、風が吹いてもなびかない
ので、洗濯物は乾きにくい。また、立体的に成形されていると他の形のハンガーには対応しにくいものである。特許文献２のカバーは、成形されていないので風になびくことができて乾き易く、いろいろなハンガーに対応できるが、ハンガーをたたむ時にカバーをはずさなくてはならないという不便さとわずらわしさがある。現在出回っているハンガーはほとんどが折りたためるものであり、折りたためないものに小さいハンガーがあるが数は少ない。
【０００５】
本発明は、このような従来の構成が有していた問題を解決しようとするものであり、カバーの骨格であるフレームを分割して複数にしたり、関節のあるフレームにしたり、フレームをはずして布部を直接ハンガーに装着したりすること等により、折りたためるハンガーに対してはカバーを装着したままいっしょに折りたためるようにすることを目的とするものである。
【課題を解決するための手段】
【０００６】
本発明は上記目的を達成するために、本体は通気性、撥水性、不透視性等を有する素材からなる平面状のカバーとし、中心の穴から洗濯物を干した角型ハンガー等の掛止め金具を通してハンガーの上面を覆うとともに、ハンガーの周縁部位置から適宜な長さ垂れ下がらせ、その垂れ下がった部分が風で翻らないように工夫し、裾を上げられるように工夫した。大きな布を扱いやすくするため単数か複数のフレームを持たせたカバーは、フレームに橋渡ししたゴムひもを回し掛けるとカバーを小さくまとめられるように工夫した。複数のフレームを持つカバーとフレームを持たないカバーは折りたためるハンガーに装着したまま折りたたんで片づけることができる。
【０００７】
一例として、フレームを半円形のフレーム２個とし、中央辺りに配置し、布と結合させハンガーの腕に固定させると、ハンガーを折りたたんだ時にカバーもいっしょに折りたためる。
【０００８】
ハンガーといっしょに折りたたんで片づける時に布が緩衝材となってピンチがからまりにくくなるという利点がある。
【発明の効果】
【０００９】
上述したように本発明の洗濯物干しハンガーカバーは、折りたためるハンガーに対してカバーを装着したままいっしょに折りたためるので、片付ける手間や労力やスペース等を小さくできるという利点がある。
【図面の簡単な説明】
【００１０】
【図１】フレームが１個のハンガーカバーの裏の平面図である。
【図２】フレームが２個のハンガーカバーの裏の平面図である。
【図３】フレーム２個をひもで結んだハンガーカバーの裏の平面図である。
【図４】フレームのないハンガーカバーの裏の平面図である。
【図５】ハンガーカバーを使用中の外観図である。
【図６】裾を上げた時のハンガーカバーの斜視図である。
【図７】ハンガーカバーの裾を上げ、ゴムひもをまわしかけ、ハンガーといっしょに    たたんだ時の立面図である。
【図８】ハンガーカバーの裾を上げないで、ハンガーといっしょにたたんだ時の立面図である。
【発明を実施するための形態】
【００１１】
ハンガーカバーを装着したままハンガーといっしょに折りたためるようにするという目的を  フレームを分割し複数にしたり関節のあるフレームにしたりフレームを持たないカバーを新たに加えたりして実現した。
【００１２】
図７、図８は２個のフレームを持つハンガーカバーの実施例である。また、素材が柔らかく折れるように曲がるフレームでもよいであろう。図３におけるひもで結んだ２個のフレームは「関節のあるフレーム」に近い形態であろう。
【００１３】
図５の掛止め金具に通したリング状のマジックテープ（登録商標）と布上のマジックテープ（登録商標）を合わせた姿が図６である。
【００１４】
７はハンガーの腕にフレームを取り付けるための結束ベルトである。８はフレームに布を取り付けている箇所である。
【００１５】
図４の７は布に縫い付けた結束ベルトであり、ハンガーの腕に取り付けられるようにしている。フレームのないカバーの表の面はフレームのあるカバーと同じである。
【００１６】
以上、本発明の実施の形態を説明したが、本発明の範囲はこれに限定されるものではない。例えば、裾の上げ方や風で翻らないようにする方法や、有効なフレームの分割数等は種々のハンガーの状況に応じて適宜選択されるものである。
【符号の説明】
【００１７】
１  布
２  フレーム
３  ゴムひも
４  穴
５  マジックテープ（登録商標）
６  ひも
７  取り付けベルト
８  布とフレームの結合箇所
９  裾が翻らないようにする装置
【図１】
2013198725.tif 000003
【図２】
2013198725.tif 000004
【図３】
2013198725.tif 000005
【図４】
2013198725.tif 000006
【図５】
2013198725.tif 000007
【図６】
2013198725.tif 000008
【図７】
2013198725.tif 000009
【図８】
2013198725.tif 000010
【手続補正書】
【提出日】平成25年8月12日(2013.8.12)
【手続補正１】
【補正対象書類名】特許請求の範囲
【補正対象項目名】全文
【補正方法】変更
【補正の内容】
【特許請求の範囲】
【請求項１】
平面状のカバーの裏中央辺りに半円形で、ハンガーの腕に固定しうる取り付けベルトを持つ骨格となるフレームを対向するように２個設けて結合させ、中心に設けた穴からハンガーの掛止め金具を通してハンガーの上面を覆うとともに、ハンガーの周縁部位置から適宜な長さ垂れ下がらせ、折りたためるハンガーに対してはハンガーに装着したままいっしょに折りたためることを特徴とする洗濯物干しハンガーカバー。
【請求項２】
風等で裾が翻らないように工夫された構造を有することを特徴とする請求項１記載の洗濯物干しハンガーカバー。
【手続補正２】
【補正対象書類名】明細書
【補正対象項目名】０００４
【補正方法】変更
【補正の内容】
【０００４】
以上に述べた特許文献１のカバーでは成形されているため風が吹いてもなびかないので洗濯物は乾きにくい。また、立体的に成形されていると他の形のハンガーに対応しにくい。特許文献２のカバーは成形されていないので風になびくことができて乾き易く、いろいろなハンガーに対応できるが、フレームとハンガーを固定器具で固定しているのでハンガーをたたむ時にカバーをはずさなくてはならないという不便さとわずらわしさがある。  現在出回っているハンガーはほとんどが折りたためるものであり、折りたためないものに小さいハンガーがあるが数は少ない。
【手続補正３】
【補正対象書類名】明細書
【補正対象項目名】０００５
【補正方法】変更
【補正の内容】
【０００５】
本発明は、このような従来の構成が有していた問題を解決しようとするものであり、カバーの骨格であるフレームを分割して複数にしたり、関節のあるフレームにしたりすることにより、折りたためるハンガーに対してはカバーを装着したままいっしょに折りたためるようにすることを目的とするものである。
【手続補正４】
【補正対象書類名】明細書
【補正対象項目名】０００６
【補正方法】変更
【補正の内容】
【０００６】
本発明は上記目的を達成するために、本体は通気性、撥水性、不透視性等を有する素材からなる平面状のカバーとし、中心の穴から洗濯物を干した角型ハンガー等の掛止め金具を通してハンガーの上面を覆うとともに、ハンガーの周縁部位置から適宜な長さ垂れ下がらせ、その垂れ下がった部分が風で翻らないように工夫し、裾を上げられるように工夫した。大きな布を扱いやすくするため単数か複数のフレームを持たせたカバーは、フレームに橋渡ししたゴムひもを回し掛けるとカバーを小さくまとめられるように工夫した、複数のフレームを持つカバーは折りたためるハンガーに装着したまま折りたたんで片づけることができる。
【手続補正５】
【補正対象書類名】明細書
【補正対象項目名】００１１
【補正方法】変更
【補正の内容】
【００１１】
ハンガーカバーを装着したままハンガーと一緒に折りたためるようにするという目的を  フレームを分割して複数にしたり関節のあるフレームにしたりして実現した。
【手続補正６】
【補正対象書類名】明細書
【補正対象項目名】００１５
【補正方法】変更
【補正の内容】
【００１５】
参考例を示す図４の７は布に縫い付けた結束ベルトであり、ハンガーの腕に取り付けられるようにしている。フレームのないカバーの表の面はフレームのあるカバーと同じである。
【手続補正７】
【補正対象書類名】明細書
【補正対象項目名】００１６
【補正方法】変更
【補正の内容】
【００１６】
以上、本発明の実施の形態を説明したが、本発明の範囲はこれに限定されるものではない。例えば、裾の上げ方や風で翻らないようにする方法や、有効なフレームの分割数等は種々のハンガーの状況に応じて適宜選択されるものである。